(57)【要約】 【課題】  レセプト等を用いて、ジェネリック医薬品を提案し、診療報酬支払機関、患者に対して確実に情報を届けることができ、またはシステム導入による実績を測ることができるようにした医療情報処理プログラムを提供する。【解決手段】  患者識別子および薬剤名を少なくとも含む投薬データを入力する機能と、前記投薬データ入力機能により入力された投薬データを記憶し、先発薬および該先発薬に同等のジェネリック医薬品を対応させて記憶し、医薬品および該医薬品の薬価を対応させて記憶し、記憶された投薬データ内の薬剤名に応じて、記憶された該薬剤名に対応する同等のジェネリック医薬品を検索する機能と、検索されたジェネリック医薬品に応じて、前記記憶された該ジェネリック医薬品に対応する薬価を検索する機能と、検索された薬価を用いて、前記記憶された患者識別子毎にジェネリック医薬品を用いた場合の医療費を計算する機能を有している。【選択図】図１
2007018292.tif 000002
【特許請求の範囲】
【請求項１】
コンピュータに、医療情報の処理をさせる医療情報処理プログラムであって、
前記コンピュータに、
患者識別子および薬剤名を少なくとも含む投薬データを入力する投薬データ入力機能と、
前記投薬データ入力機能により入力された投薬データを記憶する投薬データ記憶機能と、
先発薬および該先発薬に同等のジェネリック医薬品を対応させて記憶する先発薬同等ジェネリック薬記憶機能と、
医薬品および該医薬品の薬価を対応させて記憶する医薬品薬価記憶機能と、
前記投薬データ記憶機能で記憶された投薬データ内の薬剤名に応じて、前記先発薬同等ジェネリック薬記憶機能で記憶された該薬剤名に対応する同等のジェネリック医薬品を検索するジェネリック薬検索機能と、
前記ジェネリック薬検索機能により検索されたジェネリック医薬品に応じて、前記医薬品薬価記憶機能で記憶された該ジェネリック医薬品に対応する薬価を検索する薬価検索機能と、
前記薬価検索機能により検索された薬価を用いて、前記投薬データ記憶機能で記憶された患者識別子毎にジェネリック医薬品を用いた場合の医療費を計算する医療費計算機能
を実現することを特徴とする医療情報処理プログラム。
【請求項２】
前記医療費計算機能により計算された医療費を前記患者識別子で表される患者に対して通知できるように通知媒体を作成する患者通知媒体作成機能
を実現することを特徴とする請求項１に記載の医療情報処理プログラム。
【請求項３】
前記ジェネリック薬検索機能により検索されたジェネリック医薬品を対応する患者識別子とともに記憶する提示ジェネリック薬記憶機能と、
前記投薬データ入力機能により入力された投薬データ内の患者識別子に応じて、前記提示ジェネリック薬記憶機能により記憶された該患者識別子に対応するジェネリック医薬品を検索する採用ジェネリック薬検索機能と、
前記投薬データ入力機能により入力された投薬データ内の薬剤名が前記採用ジェネリック薬検索機能により検索されたジェネリック医薬品である場合は、ジェネリック医薬品が採用されたことをカウントするカウント機能と
を実現することを特徴とする請求項１または２に記載の医療情報処理プログラム。
【請求項４】
前記投薬データ入力機能は、患者識別子に対応した医療費を入力し、
前記投薬データ入力機能により入力された医療費と前記投薬データ記憶機能によって記憶された従来の医療費との差額を計算する差額計算機能
を実現することを特徴とする請求項１〜３のいずれか１項に記載の医療情報処理プログラム。
【請求項５】
前記カウント機能は、一定期間毎にカウントし、
前記カウント機能によりカウントされた数を、診療報酬支払機関に対して通知できるように通知媒体を作成する診療報酬支払機関通知媒体作成機能
を実現することを特徴とする請求項３に記載の医療情報処理プログラム。
【請求項６】
前記差額計算機能により計算された差額を、一定期間毎に積算する差額合計機能と、
前記診療報酬支払機関通知媒体作成機能は、前記差額合計機能により積算された差額合計を、診療報酬支払機関に対して通知できるように通知媒体を作成すること
を実現することを特徴とする請求項４に記載の医療情報処理プログラム。
【請求項７】
前記差額合計機能は、積算された一定期間毎の差額合計に応じて、ジェネリック医薬品が採用されたことによる成功報酬額を計算し、
前記診療報酬支払機関通知機能は、前記差額合計機能により計算された成功報酬額を診療報酬支払機関に通知できるように通知媒体を作成する診療報酬支払機関通知媒体作成機能
を実現することを特徴とする請求項６に記載の医療情報処理プログラム。
【請求項８】
ジェネリック医薬品および該ジェネリック医薬品を取り扱っている薬局名を対応させて記憶するジェネリック薬取扱店記憶機能と、
前記ジェネリック薬検索機能により検索されたジェネリック医薬品に応じて、前記ジェネリック薬取扱店記憶機能で記憶された該ジェネリック医薬品に対応する薬局名を検索する薬局検索機能
を実現することを特徴とする請求項１〜７のいずれか１項に記載の医療情報処理プログラム。
【請求項９】
前記投薬データ入力機能は、患者識別子に対応した市町村名または医療機関を入力し、
前記ジェネリック薬取扱店記憶機能は、薬局名と該薬局名が所在する住所を対応させて記憶しており、
前記薬局検索機能は、前記投薬データ入力機能により入力された市町村名または医療機関に応じて、前記ジェネリック薬取扱店記憶機能により記憶された住所を検索することにより近辺の薬局名を検索すること
を実現することを特徴とする請求項８に記載の医療情報処理プログラム。
【請求項１０】
コンピュータに、医療情報の処理をさせる医療情報処理プログラムであって、
前記コンピュータに、
患者識別子および薬剤名を少なくとも含む投薬データを記憶する投薬データ記憶機能と、
先発薬および該先発薬に同等のジェネリック医薬品を対応させて記憶する先発薬同等ジェネリック薬記憶機能と、
前記投薬データ記憶機能で記憶された投薬データ内の薬剤名に応じて、前記先発薬同等ジェネリック薬記憶機能で記憶された該薬剤名に対応する同等のジェネリック医薬品を検索するジェネリック薬検索機能と、
前記ジェネリック薬検索機能により検索されたジェネリック医薬品を対応する患者識別子とともに記憶する提示ジェネリック薬記憶機能と、
患者識別子および薬剤名を少なくとも含む投薬データを入力する投薬データ入力機能と、
前記投薬データ入力機能により入力された投薬データ内の患者識別子に応じて、前記提示ジェネリック薬記憶機能により記憶された該患者識別子に対応するジェネリック医薬品を検索する採用ジェネリック薬検索機能と、
前記投薬データ入力機能により入力された投薬データ内の薬剤名が前記採用ジェネリック薬検索機能により検索されたジェネリック医薬品である場合は、ジェネリック医薬品が採用されたことをカウントするカウント機能
を実現することを特徴とする医療情報処理プログラム。
【請求項１１】
コンピュータに、医療情報の処理をさせる医療情報処理プログラムであって、
前記コンピュータに、
患者識別子および薬剤名を少なくとも含む投薬データを記憶する投薬データ記憶機能と、
患者に対して既に提示したジェネリック医薬品を対応する患者識別子とともに記憶する提示ジェネリック薬記憶機能と、
前記投薬データ記憶機能により記憶されている投薬データ内の患者識別子に応じて、前記提示ジェネリック薬記憶機能により記憶された該患者識別子に対応するジェネリック医薬品を検索する採用ジェネリック薬検索機能と、
前記患者識別子に対応する前記投薬データ記憶機能により記憶されている薬剤名が、前記採用ジェネリック薬検索機能により検索されたジェネリック医薬品である場合は、ジェネリック医薬品が採用されたことをカウントするカウント機能
を実現することを特徴とする医療情報処理プログラム。
【請求項１２】
コンピュータに、医療情報の処理をさせる医療情報処理プログラムであって、
前記コンピュータに、
患者識別子および薬剤名を少なくとも含む投薬データを入力する投薬データ入力機能と、
前記投薬データ入力機能により入力された投薬データを記憶する投薬データ記憶機能と、
第１の医薬品および該第１の医薬品に同等の医薬品である第２の医薬品を対応させて記憶する同等医薬品記憶機能と、
医薬品および該医薬品の薬価を対応させて記憶する医薬品薬価記憶機能と、
前記投薬データ記憶機能で記憶された投薬データ内の薬剤名に応じて、前記同等医薬品記憶機能で記憶された該薬剤名に対応する同等の第２の医薬品を検索する医薬品検索機能と、
前記医薬品検索機能により検索された第２の医薬品に応じて、前記医薬品薬価記憶機能で記憶された該第２の医薬品に対応する薬価を検索する薬価検索機能と、
前記薬価検索機能により検索された薬価を用いて、前記投薬データ記憶機能で記憶された患者識別子毎に第２の医薬品を用いた場合の医療費を計算する医療費計算機能
を実現することを特徴とする医療情報処理プログラム。
【請求項１３】
コンピュータに、医療情報の処理をさせる医療情報処理プログラムであって、
前記コンピュータに、
患者識別子および薬剤名を少なくとも含む投薬データを記憶する投薬データ記憶機能と、
第１の医薬品および該第１の医薬品に同等の医薬品である第２の医薬品を対応させて記憶する同等医薬品記憶機能と、
前記投薬データ記憶機能で記憶された投薬データ内の薬剤名に応じて、前記同等医薬品記憶機能で記憶された該薬剤名に対応する同等の第２の医薬品を検索する医薬品検索機能と、
前記医薬品検索機能により検索された第２の医薬品を対応する患者識別子とともに記憶する提示薬記憶機能と、
患者識別子および薬剤名を少なくとも含む投薬データを入力する投薬データ入力機能と、
前記投薬データ入力機能により入力された投薬データ内の患者識別子に応じて、前記提示薬記憶機能により記憶された該患者識別子に対応する医薬品を検索する採用薬検索機能と、
前記投薬データ入力機能により入力された投薬データ内の薬剤名が前記採用薬検索機能により検索された医薬品である場合は、第２の医薬品が採用されたことをカウントするカウント機能
を実現することを特徴とする医療情報処理プログラム。
【請求項１４】
コンピュータに、医療情報の処理をさせる医療情報処理プログラムであって、
前記コンピュータに、
患者識別子および薬剤名を少なくとも含む投薬データを記憶する投薬データ記憶機能と、
患者に対して既に提示した医薬品を対応する患者識別子とともに記憶する提示薬記憶機能と、
前記投薬データ記憶機能により記憶されている投薬データ内の患者識別子に応じて、前記提示薬記憶機能により記憶された該患者識別子に対応する医薬品を検索する採用薬検索機能と、
前記患者識別子に対応する前記投薬データ記憶機能により記憶されている薬剤名が、前記採用薬検索機能により検索された医薬品である場合は、該医薬品が採用されたことをカウントするカウント機能
を実現することを特徴とする医療情報処理プログラム。
【請求項１５】
医療情報の処理を行う医療情報処理システムであって、
患者識別子および薬剤名を少なくとも含む投薬データを入力する投薬データ入力手段と、
前記投薬データ入力手段により入力された投薬データを記憶する投薬データ記憶手段と、
先発薬および該先発薬に同等のジェネリック医薬品を対応させて記憶する先発薬同等ジェネリック薬記憶手段と、
医薬品および該医薬品の薬価を対応させて記憶する医薬品薬価記憶手段と、
前記投薬データ記憶手段で記憶された投薬データ内の薬剤名に応じて、前記先発薬同等ジェネリック薬記憶手段で記憶された該薬剤名に対応する同等のジェネリック医薬品を検索するジェネリック薬検索手段と、
前記ジェネリック薬検索手段により検索されたジェネリック医薬品に応じて、前記医薬品薬価記憶手段で記憶された該ジェネリック医薬品に対応する薬価を検索する薬価検索手段と、
前記薬価検索手段により検索された薬価を用いて、前記投薬データ記憶手段で記憶された患者識別子毎にジェネリック医薬品を用いた場合の医療費を計算する医療費計算手段
を具備することを特徴とする医療情報処理システム。
【請求項１６】
医療情報の処理を行う医療情報処理システムであって、
患者識別子および薬剤名を少なくとも含む投薬データを記憶する投薬データ記憶手段と、
先発薬および該先発薬に同等のジェネリック医薬品を対応させて記憶する先発薬同等ジェネリック薬記憶手段と、
前記投薬データ記憶手段で記憶された投薬データ内の薬剤名に応じて、前記先発薬同等ジェネリック薬記憶手段で記憶された該薬剤名に対応する同等のジェネリック医薬品を検索するジェネリック薬検索手段と、
前記ジェネリック薬検索手段により検索されたジェネリック医薬品を対応する患者識別子とともに記憶する提示ジェネリック薬記憶手段と、
患者識別子および薬剤名を少なくとも含む投薬データを入力する投薬データ入力手段と、
前記投薬データ入力手段により入力された投薬データ内の患者識別子に応じて、前記提示ジェネリック薬記憶手段により記憶された該患者識別子に対応するジェネリック医薬品を検索する採用ジェネリック薬検索手段と、
前記投薬データ入力手段により入力された投薬データ内の薬剤名が前記採用ジェネリック薬検索手段により検索されたジェネリック医薬品である場合は、ジェネリック医薬品が採用されたことをカウントするカウント手段
を具備することを特徴とする医療情報処理システム。
【請求項１７】
医療情報の処理を行う医療情報処理システムであって、
患者識別子および薬剤名を少なくとも含む投薬データを記憶する投薬データ記憶手段と、
患者に対して既に提示したジェネリック医薬品を対応する患者識別子とともに記憶する提示ジェネリック薬記憶手段と、
前記投薬データ記憶手段により記憶されている投薬データ内の患者識別子に応じて、前記提示ジェネリック薬記憶手段により記憶された該患者識別子に対応するジェネリック医薬品を検索する採用ジェネリック薬検索手段と、
前記患者識別子に対応する前記投薬データ記憶手段により記憶されている薬剤名が、前記採用ジェネリック薬検索手段により検索されたジェネリック医薬品である場合は、ジェネリック医薬品が採用されたことをカウントするカウント手段
を具備することを特徴とする医療情報処理システム。
【請求項１８】
医療情報の処理を行う医療情報処理システムであって、
患者識別子および薬剤名を少なくとも含む投薬データを入力する投薬データ入力手段と、
前記投薬データ入力手段により入力された投薬データを記憶する投薬データ記憶手段と、
第１の医薬品および該第１の医薬品に同等の医薬品である第２の医薬品を対応させて記憶する同等医薬品記憶手段と、
医薬品および該医薬品の薬価を対応させて記憶する医薬品薬価記憶手段と、
前記投薬データ記憶手段で記憶された投薬データ内の薬剤名に応じて、前記同等医薬品記憶手段で記憶された該薬剤名に対応する同等の第２の医薬品を検索する医薬品検索手段と、
前記医薬品検索手段により検索された第２の医薬品に応じて、前記医薬品薬価記憶手段で記憶された該第２の医薬品に対応する薬価を検索する薬価検索手段と、
前記薬価検索手段により検索された薬価を用いて、前記投薬データ記憶手段で記憶された患者識別子毎に第２の医薬品を用いた場合の医療費を計算する医療費計算手段
を具備することを特徴とする医療情報処理システム。
【請求項１９】
医療情報の処理を行う医療情報処理システムであって、
患者識別子および薬剤名を少なくとも含む投薬データを記憶する投薬データ記憶手段と、
第１の医薬品および該第１の医薬品に同等の医薬品である第２の医薬品を対応させて記憶する同等医薬品記憶手段と、
前記投薬データ記憶手段で記憶された投薬データ内の薬剤名に応じて、前記同等医薬品記憶手段で記憶された該薬剤名に対応する同等の第２の医薬品を検索する医薬品検索手段と、
前記医薬品検索手段により検索された第２の医薬品を対応する患者識別子とともに記憶する提示薬記憶手段と、
患者識別子および薬剤名を少なくとも含む投薬データを入力する投薬データ入力手段と、
前記投薬データ入力手段により入力された投薬データ内の患者識別子に応じて、前記提示薬記憶手段により記憶された該患者識別子に対応する医薬品を検索する採用薬検索手段と、
前記投薬データ入力手段により入力された投薬データ内の薬剤名が前記採用薬検索手段により検索された医薬品である場合は、第２の医薬品が採用されたことをカウントするカウント手段
を具備することを特徴とする医療情報処理システム。
【請求項２０】
医療情報の処理を行う医療情報処理システムであって、
患者識別子および薬剤名を少なくとも含む投薬データを記憶する投薬データ記憶手段と、
患者に対して既に提示した医薬品を対応する患者識別子とともに記憶する提示薬記憶手段と、
前記投薬データ記憶手段により記憶されている投薬データ内の患者識別子に応じて、前記提示薬記憶手段により記憶された該患者識別子に対応する医薬品を検索する採用薬検索手段と、
前記患者識別子に対応する前記投薬データ記憶手段により記憶されている薬剤名が、前記採用薬検索手段により検索された医薬品である場合は、該医薬品が採用されたことをカウントするカウント手段
を具備することを特徴とする医療情報処理システム。
【請求項２１】
医療情報処理システムで行われる医療情報処理方法であって、
前記医療情報処理システムは、投薬データ記憶手段と、先発薬および該先発薬に同等のジェネリック医薬品を対応させて記憶する先発薬同等ジェネリック薬記憶手段と、医薬品および該医薬品の薬価を対応させて記憶する医薬品薬価記憶手段を少なくとも具備し、
患者識別子および薬剤名を少なくとも含む投薬データを前記投薬データ記憶手段に入力し、
前記投薬データ記憶手段で記憶された投薬データ内の薬剤名に応じて、前記先発薬同等ジェネリック薬記憶手段で記憶された該薬剤名に対応する同等のジェネリック医薬品を検索し、
検索されたジェネリック医薬品に応じて、前記医薬品薬価記憶手段で記憶された該ジェネリック医薬品に対応する薬価を検索し、
検索された薬価を用いて、前記投薬データ記憶手段で記憶された患者識別子毎にジェネリック医薬品を用いた場合の医療費を計算する
ことを特徴とする医療情報処理方法。
【請求項２２】
医療情報処理システムで行われる医療情報処理方法であって、
前記医療情報処理システムは、患者識別子および薬剤名を少なくとも含む投薬データを記憶する投薬データ記憶手段と、先発薬および該先発薬に同等のジェネリック医薬品を対応させて記憶する先発薬同等ジェネリック薬記憶手段と、患者識別子と医薬品を対応させて記憶する提示ジェネリック薬記憶手段と、医薬品および該医薬品の薬価を対応させて記憶する医薬品薬価記憶手段を少なくとも具備し、
前記投薬データ記憶手段で記憶された投薬データ内の薬剤名に応じて、前記先発薬同等ジェネリック薬記憶手段で記憶された該薬剤名に対応する同等のジェネリック医薬品を検索し、
検索されたジェネリック医薬品を対応する患者識別子とともに前記提示ジェネリック薬記憶手段に記憶し、
患者識別子および薬剤名を少なくとも含む投薬データを入力し、
入力された投薬データ内の患者識別子に応じて、前記提示ジェネリック薬記憶手段により記憶された該患者識別子に対応するジェネリック医薬品を検索し、
入力された投薬データ内の薬剤名が前記検索されたジェネリック医薬品である場合は、ジェネリック医薬品が採用されたことをカウントする
ことを特徴とする医療情報処理方法。
【請求項２３】
医療情報処理システムで行われる医療情報処理方法であって、
前記医療情報処理システムは、患者識別子および薬剤名を少なくとも含む投薬データを記憶する投薬データ記憶手段と、
患者に対して既に提示したジェネリック医薬品を対応する患者識別子とともに記憶する提示ジェネリック薬記憶手段と、
前記投薬データ記憶手段により記憶されている投薬データ内の患者識別子に応じて、前記提示ジェネリック薬記憶手段により記憶された該患者識別子に対応するジェネリック医薬品を検索し、
前記患者識別子に対応する前記投薬データ記憶手段により記憶されている薬剤名が、前記検索されたジェネリック医薬品である場合は、ジェネリック医薬品が採用されたことをカウントする
ことを特徴とする医療情報処理方法。
【請求項２４】
医療情報処理システムで行われる医療情報処理方法であって、
前記医療情報処理システムは、投薬データ記憶手段と、第１の医薬品および該第１の医薬品に同等の医薬品である第２の医薬品を対応させて記憶する同等医薬品記憶手段と、医薬品および該医薬品の薬価を対応させて記憶する医薬品薬価記憶手段を少なくとも具備し、
患者識別子および薬剤名を少なくとも含む投薬データを前記投薬データ記憶手段に入力し、
前記投薬データ記憶手段で記憶された投薬データ内の薬剤名に応じて、前記同等医薬品記憶手段で記憶された該薬剤名に対応する同等の第２の医薬品を検索し、
検索された第２の医薬品に応じて、前記医薬品薬価記憶手段で記憶された該第２の医薬品に対応する薬価を検索し、
検索された薬価を用いて、前記投薬データ記憶手段で記憶された患者識別子毎に第２の医薬品を用いた場合の医療費を計算する
ことを特徴とする医療情報処理方法。
【請求項２５】
医療情報処理システムで行われる医療情報処理方法であって、
前記医療情報処理システムは、患者識別子および薬剤名を少なくとも含む投薬データを記憶する投薬データ記憶手段と、第１の医薬品および該第１の医薬品に同等の医薬品である第２の医薬品を対応させて記憶する同等医薬品記憶手段と、患者識別子と医薬品を対応させて記憶する提示薬記憶手段と、医薬品および該医薬品の薬価を対応させて記憶する医薬品薬価記憶手段を少なくとも具備し、
前記投薬データ記憶手段で記憶された投薬データ内の薬剤名に応じて、前記同等医薬品記憶手段で記憶された該薬剤名に対応する同等の第２の医薬品を検索し、
検索された第２の医薬品を対応する患者識別子とともに前記提示薬記憶手段に記憶し、
患者識別子および薬剤名を少なくとも含む投薬データを入力し、
入力された投薬データ内の患者識別子に応じて、前記提示薬記憶手段により記憶された該患者識別子に対応する医薬品を検索し、
入力された投薬データ内の薬剤名が前記検索された医薬品である場合は、第２の医薬品が採用されたことをカウントする
ことを特徴とする医療情報処理方法。
【請求項２６】
医療情報処理システムで行われる医療情報処理方法であって、
前記医療情報処理システムは、患者識別子および薬剤名を少なくとも含む投薬データを記憶する投薬データ記憶手段と、
患者に対して既に提示した医薬品を対応する患者識別子とともに記憶する提示薬記憶手段と、
前記投薬データ記憶手段により記憶されている投薬データ内の患者識別子に応じて、前記提示薬記憶手段により記憶された該患者識別子に対応する医薬品を検索し、
前記患者識別子に対応する前記投薬データ記憶手段により記憶されている薬剤名が、前記検索された医薬品である場合は、第２の医薬品が採用されたことをカウントする
ことを特徴とする医療情報処理方法。
【発明の詳細な説明】
【技術分野】
【０００１】
本発明は、コンピュータに医療情報の処理をさせる医療情報処理プログラム、医療情報の処理を行う医療情報処理システムおよび医療情報処理システムで行われる医療情報処理方法に関する。
【背景技術】
【０００２】
一般に、医療施設（病院、医院或いは診療所等）において患者に対して医療行為が行われた場合には、その医療施設において、診療報酬明細書（一般に「レセプト」とよばれ、当該医療行為の内容とそれに掛かった費用とを記載したもの）が作成される。
【０００３】
そして、診療報酬明細書は、支払基金（社会保険診療報酬支払基金、国民健康保険団体連合会等を含む）によりその内容が審査され、診療報酬明細書の内容が適切であった場合、その診療報酬明細書に基づいてそれに記載されている点数に対応する診療報酬が診療報酬支払機関から各医療施設に支払われることとなる。
【０００４】
ここで、診療報酬支払機関とは、いわゆる保険者のことを言い、具体的には、政府管掌健康保険、組合管掌健康保険、船員保険、国家公務員等共済組合、地方公務員共済組合、私立学校教職員等共済組合、国民健康保険組合、国民健康保険及び公費負担者（国、都道府県、市区町村）が含まれるものである。
【０００５】
また、診療報酬支払機関に加入している組合員自身又はその家族（被扶養者）が診療等を受ける場合、その患者に掛かる通院費、入院費、薬剤費などの医療費の所定の割合（例えば、医療費の７割等）が、診療報酬支払機関から組合員に給付される。すなわち、組合員又はその家族の医療費の一部は、診療報酬支払機関を通して支払基金から給付され、組合員又はその家族の医療費の負担は軽減される。
【０００６】
一方、医療で使われている医薬品には同一の成分でありながら、価格の高い薬と安い薬とが存在する。一般的には、価格の高い方は、その薬に係る特許権の存続期間内に発売された薬であり、先発薬（「新薬」ともいう）と呼ばれている。一方、価格の安い方は、先発薬の特許権の存続期間の満了後に厚生労働省の承認を得て発売される薬で、後発品又はジェネリック医薬品と呼ばれている。すなわち、特許権の存続期間が終了した場合、先発薬に係る有効成分や技術などは共有の財産となり、ジェネリック医薬品として、同じ成分、同じ効能の医薬品を安価で提供できるようになる。
更には、今後の企業努力等により先発薬も安価になる可能性もある。
【０００７】
したがって、医療費を抑制するためには、同一成分の複数の医薬品の価格について、医師、患者、支払基金等が容易に比較・検討できるようにすることが望ましい。そして、ジェネリック医薬品発売当初の頃は、先発薬と比べて、より安価なジェネリック医薬品が処方されることが好ましい場合が多い。
【０００８】
これらの分野に関する医療情報処理システムとして、例えば、先発品及びジェネリック医薬品が存在する場合には、ジェネリック医薬品が適切に使用されているかを比較することによって、コンピュータにより簡単に分析処理を行い、病院の格付けを行うことが可能な医療情報処理システムがある（例えば、特許文献１参照）。
【０００９】
また、会員端末より電気通信手段を用いて検索したい特定の医薬品名を入力すると、第１の抽出手段は、この入力した特定の医薬品名に一致する医薬品名を含んだレコードを基本データベースから抽出し、そして、第１の抽出手段で抽出したレコードと同じ一般名を有する全レコードが第２の抽出手段により抽出され、この全レコードの情報が、先発医薬品とジェネリック医薬品の区別を明確にして会員端末に送信されることによって、検索者が特定の医薬品名の入力操作を行えば、それが先発医薬品であるかジェネリック医薬品であるかを明確に判別できる医薬品検索情報提供システムがある（例えば、特許文献２参照）。
【００１０】
また、医師が診療行為の際にリアルタイムで診療行為による病院の収益及び患者の自己負担が概算でき、診療報酬、薬剤費の適正化、病院経営、患者の自己負担の各面からコストメリットを容易に知ることが可能になる医療システムを提供することを目的とし、薬剤費部分の上限額を超えない範囲で処方できる薬剤出力の次の段階として、当該薬剤に代替え可能であるジェネリック医薬品を表示し、且つ代替え可能であるジェネリック医薬品を処方する場合の診療報酬額における薬剤費及び当該薬剤に係る患者の自己負担額を表示する段階を含む診療費用適正化システムがある（例えば、特許文献３参照）。
【００１１】
【特許文献１】特開２００４−１５２１８２号公報
【特許文献２】特開２００４−１１８３５１号公報
【特許文献３】特開２００２−２５１４５８号公報
【発明の開示】
【発明が解決しようとする課題】
【００１２】
しかしながら、このような従来の技術では、既に診療を受けた際に発行された診療報酬明細書または処方箋等を用いることをしていないので、医療費を抑制することに対して最もインセンティブがある診療報酬支払機関、患者に対して情報が十分に届かないという問題点があった。
【００１３】
また、システムが提案したジェネリック医薬品を使用した場合、そのシステムによって、どれだけ効果があがったか（医療費を抑制できたか）の実績を測ることができない。
また、単にジェネリック医薬品が提示されただけでは、そのジェネリック医薬品を取り扱っている薬局が近くにない場合は、実質的にジェネリック医薬品に変更できないという問題点があった。
【００１４】
また、医療費の一部が、診療報酬支払機関を通して支払基金から給付されるが、それは一定期間毎に行われており、その一定期間において、ジェネリック医薬品を使用した場合、そのシステムによって、どれだけ効果があがったか（医療費を抑制できたか）の実績を測ることができないという問題点があった。
【００１５】
本発明は、このような従来の技術が有する問題点に着目してなされたもので、診療報酬明細書を用いて、ジェネリック医薬品を提案するので、診療報酬支払機関、患者に対して確実に情報を届けることができ、またはシステム導入による実績を測ることができ、またはジェネリック医薬品を取り扱っている薬局がわかるようになり、または一定期間におけるシステム導入による実績を測ることができるようにした医療情報処理プログラム、医療情報処理システムおよび医療情報処理方法を提供することを目的としている。
【課題を解決するための手段】
【００１６】
かかる目的を達成するための本発明の要旨とするところは、次の各項の発明に存する。
［１］  コンピュータに、医療情報の処理をさせる医療情報処理プログラムであって、
前記コンピュータに、
患者識別子および薬剤名を少なくとも含む投薬データを入力する投薬データ入力機能と、
前記投薬データ入力機能により入力された投薬データを記憶する投薬データ記憶機能と、
先発薬および該先発薬に同等のジェネリック医薬品を対応させて記憶する先発薬同等ジェネリック薬記憶機能と、
医薬品および該医薬品の薬価を対応させて記憶する医薬品薬価記憶機能と、
前記投薬データ記憶機能で記憶された投薬データ内の薬剤名に応じて、前記先発薬同等ジェネリック薬記憶機能で記憶された該薬剤名に対応する同等のジェネリック医薬品を検索するジェネリック薬検索機能と、
前記ジェネリック薬検索機能により検索されたジェネリック医薬品に応じて、前記医薬品薬価記憶機能で記憶された該ジェネリック医薬品に対応する薬価を検索する薬価検索機能と、
前記薬価検索機能により検索された薬価を用いて、前記投薬データ記憶機能で記憶された患者識別子毎にジェネリック医薬品を用いた場合の医療費を計算する医療費計算機能
を実現することを特徴とする医療情報処理プログラム。
【００１７】
［２］  前記医療費計算機能により計算された医療費を前記患者識別子で表される患者に対して通知できるように通知媒体を作成する患者通知媒体作成機能
を実現することを特徴とする［１］に記載の医療情報処理プログラム。
【００１８】
［３］  前記ジェネリック薬検索機能により検索されたジェネリック医薬品を対応する患者識別子とともに記憶する提示ジェネリック薬記憶機能と、
前記投薬データ入力機能により入力された投薬データ内の患者識別子に応じて、前記提示ジェネリック薬記憶機能により記憶された該患者識別子に対応するジェネリック医薬品を検索する採用ジェネリック薬検索機能と、
前記投薬データ入力機能により入力された投薬データ内の薬剤名が前記採用ジェネリック薬検索機能により検索されたジェネリック医薬品である場合は、ジェネリック医薬品が採用されたことをカウントするカウント機能と
を実現することを特徴とする［１］または［２］に記載の医療情報処理プログラム。
【００１９】
［４］  前記投薬データ入力機能は、患者識別子に対応した医療費を入力し、
前記投薬データ入力機能により入力された医療費と前記投薬データ記憶機能によって記憶された従来の医療費との差額を計算する差額計算機能
を実現することを特徴とする［１］〜［３］のいずれか１項に記載の医療情報処理プログラム。
【００２０】
［５］  前記カウント機能は、一定期間毎にカウントし、
前記カウント機能によりカウントされた数を、診療報酬支払機関に対して通知できるように通知媒体を作成する診療報酬支払機関通知媒体作成機能
を実現することを特徴とする［３］に記載の医療情報処理プログラム。
【００２１】
［６］  前記差額計算機能により計算された差額を、一定期間毎に積算する差額合計機能と、
前記診療報酬支払機関通知媒体作成機能は、前記差額合計機能により積算された差額合計を、診療報酬支払機関に対して通知できるように通知媒体を作成すること
を実現することを特徴とする［４］に記載の医療情報処理プログラム。
【００２２】
［７］  前記差額合計機能は、積算された一定期間毎の差額合計に応じて、ジェネリック医薬品が採用されたことによる成功報酬額を計算し、
前記診療報酬支払機関通知機能は、前記差額合計機能により計算された成功報酬額を診療報酬支払機関に通知できるように通知媒体を作成する診療報酬支払機関通知媒体作成機能
を実現することを特徴とする［６］に記載の医療情報処理プログラム。
【００２３】
［８］  ジェネリック医薬品および該ジェネリック医薬品を取り扱っている薬局名を対応させて記憶するジェネリック薬取扱店記憶機能と、
前記ジェネリック薬検索機能により検索されたジェネリック医薬品に応じて、前記ジェネリック薬取扱店記憶機能で記憶された該ジェネリック医薬品に対応する薬局名を検索する薬局検索機能
を実現することを特徴とする［１］〜［７］のいずれか１項に記載の医療情報処理プログラム。
【００２４】
［９］  前記投薬データ入力機能は、患者識別子に対応した市町村名または医療機関を入力し、
前記ジェネリック薬取扱店記憶機能は、薬局名と該薬局名が所在する住所を対応させて記憶しており、
前記薬局検索機能は、前記投薬データ入力機能により入力された市町村名または医療機関に応じて、前記ジェネリック薬取扱店記憶機能により記憶された住所を検索することにより近辺の薬局名を検索すること
を実現することを特徴とする［８］に記載の医療情報処理プログラム。
【００２５】
［１０］  コンピュータに、医療情報の処理をさせる医療情報処理プログラムであって、
前記コンピュータに、
患者識別子および薬剤名を少なくとも含む投薬データを記憶する投薬データ記憶機能と、
先発薬および該先発薬に同等のジェネリック医薬品を対応させて記憶する先発薬同等ジェネリック薬記憶機能と、
前記投薬データ記憶機能で記憶された投薬データ内の薬剤名に応じて、前記先発薬同等ジェネリック薬記憶機能で記憶された該薬剤名に対応する同等のジェネリック医薬品を検索するジェネリック薬検索機能と、
前記ジェネリック薬検索機能により検索されたジェネリック医薬品を対応する患者識別子とともに記憶する提示ジェネリック薬記憶機能と、
患者識別子および薬剤名を少なくとも含む投薬データを入力する投薬データ入力機能と、
前記投薬データ入力機能により入力された投薬データ内の患者識別子に応じて、前記提示ジェネリック薬記憶機能により記憶された該患者識別子に対応するジェネリック医薬品を検索する採用ジェネリック薬検索機能と、
前記投薬データ入力機能により入力された投薬データ内の薬剤名が前記採用ジェネリック薬検索機能により検索されたジェネリック医薬品である場合は、ジェネリック医薬品が採用されたことをカウントするカウント機能
を実現することを特徴とする医療情報処理プログラム。
【００２６】
［１１］  コンピュータに、医療情報の処理をさせる医療情報処理プログラムであって、
前記コンピュータに、
患者識別子および薬剤名を少なくとも含む投薬データを記憶する投薬データ記憶機能と、
患者に対して既に提示したジェネリック医薬品を対応する患者識別子とともに記憶する提示ジェネリック薬記憶機能と、
前記投薬データ記憶機能により記憶されている投薬データ内の患者識別子に応じて、前記提示ジェネリック薬記憶機能により記憶された該患者識別子に対応するジェネリック医薬品を検索する採用ジェネリック薬検索機能と、
前記患者識別子に対応する前記投薬データ記憶機能により記憶されている薬剤名が、前記採用ジェネリック薬検索機能により検索されたジェネリック医薬品である場合は、ジェネリック医薬品が採用されたことをカウントするカウント機能
を実現することを特徴とする医療情報処理プログラム。
【００２７】
［１２］  コンピュータに、医療情報の処理をさせる医療情報処理プログラムであって、
前記コンピュータに、
患者識別子および薬剤名を少なくとも含む投薬データを入力する投薬データ入力機能と、
前記投薬データ入力機能により入力された投薬データを記憶する投薬データ記憶機能と、
第１の医薬品および該第１の医薬品に同等の医薬品である第２の医薬品を対応させて記憶する同等医薬品記憶機能と、
医薬品および該医薬品の薬価を対応させて記憶する医薬品薬価記憶機能と、
前記投薬データ記憶機能で記憶された投薬データ内の薬剤名に応じて、前記同等医薬品記憶機能で記憶された該薬剤名に対応する同等の第２の医薬品を検索する医薬品検索機能と、
前記医薬品検索機能により検索された第２の医薬品に応じて、前記医薬品薬価記憶機能で記憶された該第２の医薬品に対応する薬価を検索する薬価検索機能と、
前記薬価検索機能により検索された薬価を用いて、前記投薬データ記憶機能で記憶された患者識別子毎に第２の医薬品を用いた場合の医療費を計算する医療費計算機能
を実現することを特徴とする医療情報処理プログラム。
【００２８】
［１３］  コンピュータに、医療情報の処理をさせる医療情報処理プログラムであって、
前記コンピュータに、
患者識別子および薬剤名を少なくとも含む投薬データを記憶する投薬データ記憶機能と、
第１の医薬品および該第１の医薬品に同等の医薬品である第２の医薬品を対応させて記憶する同等医薬品記憶機能と、
前記投薬データ記憶機能で記憶された投薬データ内の薬剤名に応じて、前記同等医薬品記憶機能で記憶された該薬剤名に対応する同等の第２の医薬品を検索する医薬品検索機能と、
前記医薬品検索機能により検索された第２の医薬品を対応する患者識別子とともに記憶する提示薬記憶機能と、
患者識別子および薬剤名を少なくとも含む投薬データを入力する投薬データ入力機能と、
前記投薬データ入力機能により入力された投薬データ内の患者識別子に応じて、前記提示薬記憶機能により記憶された該患者識別子に対応する医薬品を検索する採用薬検索機能と、
前記投薬データ入力機能により入力された投薬データ内の薬剤名が前記採用薬検索機能により検索された医薬品である場合は、第２の医薬品が採用されたことをカウントするカウント機能
を実現することを特徴とする医療情報処理プログラム。
【００２９】
［１４］  コンピュータに、医療情報の処理をさせる医療情報処理プログラムであって、
前記コンピュータに、
患者識別子および薬剤名を少なくとも含む投薬データを記憶する投薬データ記憶機能と、
患者に対して既に提示した医薬品を対応する患者識別子とともに記憶する提示薬記憶機能と、
前記投薬データ記憶機能により記憶されている投薬データ内の患者識別子に応じて、前記提示薬記憶機能により記憶された該患者識別子に対応する医薬品を検索する採用薬検索機能と、
前記患者識別子に対応する前記投薬データ記憶機能により記憶されている薬剤名が、前記採用薬検索機能により検索された医薬品である場合は、該医薬品が採用されたことをカウントするカウント機能
を実現することを特徴とする医療情報処理プログラム。
【００３０】
［１５］  医療情報の処理を行う医療情報処理システムであって、
患者識別子および薬剤名を少なくとも含む投薬データを入力する投薬データ入力手段と、
前記投薬データ入力手段により入力された投薬データを記憶する投薬データ記憶手段と、
先発薬および該先発薬に同等のジェネリック医薬品を対応させて記憶する先発薬同等ジェネリック薬記憶手段と、
医薬品および該医薬品の薬価を対応させて記憶する医薬品薬価記憶手段と、
前記投薬データ記憶手段で記憶された投薬データ内の薬剤名に応じて、前記先発薬同等ジェネリック薬記憶手段で記憶された該薬剤名に対応する同等のジェネリック医薬品を検索するジェネリック薬検索手段と、
前記ジェネリック薬検索手段により検索されたジェネリック医薬品に応じて、前記医薬品薬価記憶手段で記憶された該ジェネリック医薬品に対応する薬価を検索する薬価検索手段と、
前記薬価検索手段により検索された薬価を用いて、前記投薬データ記憶手段で記憶された患者識別子毎にジェネリック医薬品を用いた場合の医療費を計算する医療費計算手段
を具備することを特徴とする医療情報処理システム。
【００３１】
［１６］  医療情報の処理を行う医療情報処理システムであって、
患者識別子および薬剤名を少なくとも含む投薬データを記憶する投薬データ記憶手段と、
先発薬および該先発薬に同等のジェネリック医薬品を対応させて記憶する先発薬同等ジェネリック薬記憶手段と、
前記投薬データ記憶手段で記憶された投薬データ内の薬剤名に応じて、前記先発薬同等ジェネリック薬記憶手段で記憶された該薬剤名に対応する同等のジェネリック医薬品を検索するジェネリック薬検索手段と、
前記ジェネリック薬検索手段により検索されたジェネリック医薬品を対応する患者識別子とともに記憶する提示ジェネリック薬記憶手段と、
患者識別子および薬剤名を少なくとも含む投薬データを入力する投薬データ入力手段と、
前記投薬データ入力手段により入力された投薬データ内の患者識別子に応じて、前記提示ジェネリック薬記憶手段により記憶された該患者識別子に対応するジェネリック医薬品を検索する採用ジェネリック薬検索手段と、
前記投薬データ入力手段により入力された投薬データ内の薬剤名が前記採用ジェネリック薬検索手段により検索されたジェネリック医薬品である場合は、ジェネリック医薬品が採用されたことをカウントするカウント手段
を具備することを特徴とする医療情報処理システム。
【００３２】
［１７］  医療情報の処理を行う医療情報処理システムであって、
患者識別子および薬剤名を少なくとも含む投薬データを記憶する投薬データ記憶手段と、
患者に対して既に提示したジェネリック医薬品を対応する患者識別子とともに記憶する提示ジェネリック薬記憶手段と、
前記投薬データ記憶手段により記憶されている投薬データ内の患者識別子に応じて、前記提示ジェネリック薬記憶手段により記憶された該患者識別子に対応するジェネリック医薬品を検索する採用ジェネリック薬検索手段と、
前記患者識別子に対応する前記投薬データ記憶手段により記憶されている薬剤名が、前記採用ジェネリック薬検索手段により検索されたジェネリック医薬品である場合は、ジェネリック医薬品が採用されたことをカウントするカウント手段
を具備することを特徴とする医療情報処理システム。
【００３３】
［１８］  医療情報の処理を行う医療情報処理システムであって、
患者識別子および薬剤名を少なくとも含む投薬データを入力する投薬データ入力手段と、
前記投薬データ入力手段により入力された投薬データを記憶する投薬データ記憶手段と、
第１の医薬品および該第１の医薬品に同等の医薬品である第２の医薬品を対応させて記憶する同等医薬品記憶手段と、
医薬品および該医薬品の薬価を対応させて記憶する医薬品薬価記憶手段と、
前記投薬データ記憶手段で記憶された投薬データ内の薬剤名に応じて、前記同等医薬品記憶手段で記憶された該薬剤名に対応する同等の第２の医薬品を検索する医薬品検索手段と、
前記医薬品検索手段により検索された第２の医薬品に応じて、前記医薬品薬価記憶手段で記憶された該第２の医薬品に対応する薬価を検索する薬価検索手段と、
前記薬価検索手段により検索された薬価を用いて、前記投薬データ記憶手段で記憶された患者識別子毎に第２の医薬品を用いた場合の医療費を計算する医療費計算手段
を具備することを特徴とする医療情報処理システム。
【００３４】
［１９］  医療情報の処理を行う医療情報処理システムであって、
患者識別子および薬剤名を少なくとも含む投薬データを記憶する投薬データ記憶手段と、
第１の医薬品および該第１の医薬品に同等の医薬品である第２の医薬品を対応させて記憶する同等医薬品記憶手段と、
前記投薬データ記憶手段で記憶された投薬データ内の薬剤名に応じて、前記同等医薬品記憶手段で記憶された該薬剤名に対応する同等の第２の医薬品を検索する医薬品検索手段と、
前記医薬品検索手段により検索された第２の医薬品を対応する患者識別子とともに記憶する提示薬記憶手段と、
患者識別子および薬剤名を少なくとも含む投薬データを入力する投薬データ入力手段と、
前記投薬データ入力手段により入力された投薬データ内の患者識別子に応じて、前記提示薬記憶手段により記憶された該患者識別子に対応する医薬品を検索する採用薬検索手段と、
前記投薬データ入力手段により入力された投薬データ内の薬剤名が前記採用薬検索手段により検索された医薬品である場合は、第２の医薬品が採用されたことをカウントするカウント手段
を具備することを特徴とする医療情報処理システム。
【００３５】
［２０］  医療情報の処理を行う医療情報処理システムであって、
患者識別子および薬剤名を少なくとも含む投薬データを記憶する投薬データ記憶手段と、
患者に対して既に提示した医薬品を対応する患者識別子とともに記憶する提示薬記憶手段と、
前記投薬データ記憶手段により記憶されている投薬データ内の患者識別子に応じて、前記提示薬記憶手段により記憶された該患者識別子に対応する医薬品を検索する採用薬検索手段と、
前記患者識別子に対応する前記投薬データ記憶手段により記憶されている薬剤名が、前記採用薬検索手段により検索された医薬品である場合は、該医薬品が採用されたことをカウントするカウント手段
を具備することを特徴とする医療情報処理システム。
【００３６】
［２１］  医療情報処理システムで行われる医療情報処理方法であって、
前記医療情報処理システムは、投薬データ記憶手段と、先発薬および該先発薬に同等のジェネリック医薬品を対応させて記憶する先発薬同等ジェネリック薬記憶手段と、医薬品および該医薬品の薬価を対応させて記憶する医薬品薬価記憶手段を少なくとも具備し、
患者識別子および薬剤名を少なくとも含む投薬データを前記投薬データ記憶手段に入力し、
前記投薬データ記憶手段で記憶された投薬データ内の薬剤名に応じて、前記先発薬同等ジェネリック薬記憶手段で記憶された該薬剤名に対応する同等のジェネリック医薬品を検索し、
検索されたジェネリック医薬品に応じて、前記医薬品薬価記憶手段で記憶された該ジェネリック医薬品に対応する薬価を検索し、
検索された薬価を用いて、前記投薬データ記憶手段で記憶された患者識別子毎にジェネリック医薬品を用いた場合の医療費を計算する
ことを特徴とする医療情報処理方法。
【００３７】
［２２］  医療情報処理システムで行われる医療情報処理方法であって、
前記医療情報処理システムは、患者識別子および薬剤名を少なくとも含む投薬データを記憶する投薬データ記憶手段と、先発薬および該先発薬に同等のジェネリック医薬品を対応させて記憶する先発薬同等ジェネリック薬記憶手段と、患者識別子と医薬品を対応させて記憶する提示ジェネリック薬記憶手段と、医薬品および該医薬品の薬価を対応させて記憶する医薬品薬価記憶手段を少なくとも具備し、
前記投薬データ記憶手段で記憶された投薬データ内の薬剤名に応じて、前記先発薬同等ジェネリック薬記憶手段で記憶された該薬剤名に対応する同等のジェネリック医薬品を検索し、
検索されたジェネリック医薬品を対応する患者識別子とともに前記提示ジェネリック薬記憶手段に記憶し、
患者識別子および薬剤名を少なくとも含む投薬データを入力し、
入力された投薬データ内の患者識別子に応じて、前記提示ジェネリック薬記憶手段により記憶された該患者識別子に対応するジェネリック医薬品を検索し、
入力された投薬データ内の薬剤名が前記検索されたジェネリック医薬品である場合は、ジェネリック医薬品が採用されたことをカウントする
ことを特徴とする医療情報処理方法。
【００３８】
［２３］  医療情報処理システムで行われる医療情報処理方法であって、
前記医療情報処理システムは、患者識別子および薬剤名を少なくとも含む投薬データを記憶する投薬データ記憶手段と、
患者に対して既に提示したジェネリック医薬品を対応する患者識別子とともに記憶する提示ジェネリック薬記憶手段と、
前記投薬データ記憶手段により記憶されている投薬データ内の患者識別子に応じて、前記提示ジェネリック薬記憶手段により記憶された該患者識別子に対応するジェネリック医薬品を検索し、
前記患者識別子に対応する前記投薬データ記憶手段により記憶されている薬剤名が、前記検索されたジェネリック医薬品である場合は、ジェネリック医薬品が採用されたことをカウントする
ことを特徴とする医療情報処理方法。
【００３９】
［２４］  医療情報処理システムで行われる医療情報処理方法であって、
前記医療情報処理システムは、投薬データ記憶手段と、第１の医薬品および該第１の医薬品に同等の医薬品である第２の医薬品を対応させて記憶する同等医薬品記憶手段と、医薬品および該医薬品の薬価を対応させて記憶する医薬品薬価記憶手段を少なくとも具備し、
患者識別子および薬剤名を少なくとも含む投薬データを前記投薬データ記憶手段に入力し、
前記投薬データ記憶手段で記憶された投薬データ内の薬剤名に応じて、前記同等医薬品記憶手段で記憶された該薬剤名に対応する同等の第２の医薬品を検索し、
検索された第２の医薬品に応じて、前記医薬品薬価記憶手段で記憶された該第２の医薬品に対応する薬価を検索し、
検索された薬価を用いて、前記投薬データ記憶手段で記憶された患者識別子毎に第２の医薬品を用いた場合の医療費を計算する
ことを特徴とする医療情報処理方法。
【００４０】
［２５］  医療情報処理システムで行われる医療情報処理方法であって、
前記医療情報処理システムは、患者識別子および薬剤名を少なくとも含む投薬データを記憶する投薬データ記憶手段と、第１の医薬品および該第１の医薬品に同等の医薬品である第２の医薬品を対応させて記憶する同等医薬品記憶手段と、患者識別子と医薬品を対応させて記憶する提示薬記憶手段と、医薬品および該医薬品の薬価を対応させて記憶する医薬品薬価記憶手段を少なくとも具備し、
前記投薬データ記憶手段で記憶された投薬データ内の薬剤名に応じて、前記同等医薬品記憶手段で記憶された該薬剤名に対応する同等の第２の医薬品を検索し、
検索された第２の医薬品を対応する患者識別子とともに前記提示薬記憶手段に記憶し、
患者識別子および薬剤名を少なくとも含む投薬データを入力し、
入力された投薬データ内の患者識別子に応じて、前記提示薬記憶手段により記憶された該患者識別子に対応する医薬品を検索し、
入力された投薬データ内の薬剤名が前記検索された医薬品である場合は、第２の医薬品が採用されたことをカウントする
ことを特徴とする医療情報処理方法。
【００４１】
［２６］  医療情報処理システムで行われる医療情報処理方法であって、
前記医療情報処理システムは、患者識別子および薬剤名を少なくとも含む投薬データを記憶する投薬データ記憶手段と、
患者に対して既に提示した医薬品を対応する患者識別子とともに記憶する提示薬記憶手段と、
前記投薬データ記憶手段により記憶されている投薬データ内の患者識別子に応じて、前記提示薬記憶手段により記憶された該患者識別子に対応する医薬品を検索し、
前記患者識別子に対応する前記投薬データ記憶手段により記憶されている薬剤名が、前記検索された医薬品である場合は、第２の医薬品が採用されたことをカウントする
ことを特徴とする医療情報処理方法。
なお、薬剤名とは、先発薬の名称、後発薬の名称又は化学的な一般名のいずれかをいう。
【００４２】
前記本発明は次のように作用する。
本発明における医療情報処理プログラムは、コンピュータに、医療情報の処理をさせる。まず、診療報酬明細書（レセプト）、調剤内容説明書、処方箋等（以下、レセプト、調剤内容説明書、処方箋等を含めて「レセプト等」という）を用いて、患者識別子および薬剤名を少なくとも含む投薬データを入力する。入力されたデータは記憶装置に記憶される。
【００４３】
一方、記憶装置にはほかに、先発薬および該先発薬に同等のジェネリック医薬品を対応させて記憶しており、さらに、医薬品および該医薬品の薬価を対応させて記憶している。
患者に処方された薬剤名に応じて、前記記憶装置に記憶されている同等のジェネリック医薬品を検索する。これによって、その患者にとって処方される薬として、高額な先発薬ではなく、価格を抑えたジェネリック医薬品が存在することがわかる。
【００４４】
次に、その検索されたジェネリック医薬品に応じて、前記記憶装置に記憶されているそのジェネリック医薬品の薬価を検索する。この検索された薬価を用いて、ジェネリック医薬品を用いたならば、その患者にかかったであろう医療費を計算する。なお、ここで、医療費とは、医薬費を含む概念であり、医薬費のみの場合もある。
そして、その計算された結果である医療費を患者識別子で表される患者に対して通知できるように通知媒体を作成する。この作成された通知媒体を患者が見ることによって、ジェネリック医薬品を用いたならば、その患者にかかったであろう医療費を知ることができる。患者は、その通知媒体を用いて、次回の診察等の際に医師または調剤薬局にジェネリック医薬品を用いて欲しいとの意思表示をすることができる。
【００４５】
そして、さきに検索されたジェネリック医薬品を対応する患者識別子とともに記憶することができる。患者が医療施設で前回に引き続いて治療等を受け、薬を処方された場合には、前回と同様に投薬データが入力される。入力された投薬データ内の患者識別子に応じて、患者識別子に対応するジェネリック医薬品を検索する。今回入力された投薬データ内の薬剤名が検索されたジェネリック医薬品である場合は、ジェネリック医薬品が採用されたこととなるので、これをカウントする。
そして、患者識別子に対応した医療費も入力すると、前回の医療費と今回のジェネリック医薬品が採用された医療費との差額が計算できる。
【００４６】
そして、一定期間毎（例えば、月毎）にジェネリック医薬品が採用されたことをカウントし、そのカウント数を診療報酬支払機関に通知することができる。これによって、診療報酬支払機関は一定期間毎にジェネリック医薬品が採用された件数を知ることができる。
そして、一定期間毎にジェネリック医薬品が採用された際の医療費の差額を積算し、その積算された差額合計を診療報酬支払機関に通知することができる。これによって、診療報酬支払機関は一定期間毎にジェネリック医薬品が採用されたことによる医療費の効果（先発薬の代わりにジェネリック医薬品を用いたことによる医療費の抑制効果）を知ることができる。
【００４７】
そして、積算された一定期間毎の差額合計に応じて、ジェネリック医薬品が採用されたことによる成功報酬額を計算し、その成功報酬額を診療報酬支払機関に通知することにより、本プログラムを導入したことによる効果に応じた成功報酬を診療報酬支払機関が支払うことができる。
そして、記憶装置に、ジェネリック医薬品およびそのジェネリック医薬品を取り扱っている薬局名を対応させて記憶させておき、ジェネリック医薬品に応じて、記憶されたそのジェネリック医薬品に対応する薬局名を検索することができる。これによって、患者は普段利用している薬局においてジェネリック医薬品を利用することができるか否かを知ることができるようになる。
【００４８】
そして、患者識別子に対応した市町村名または医療機関を入力し、ジェネリック薬取扱店記憶機能は、薬局名と該薬局が所在する住所を対応させて記憶しており、薬局検索機能は、入力された市町村名または医療機関に応じて、住所を検索することにより近辺の薬局名を検索することができる。これによって、患者はジェネリック医薬品が自分の近くにあるか否かを知ることができるようになる。
【００４９】
また、別の本発明における医療情報処理プログラムは、コンピュータに、医療情報の処理をさせる。まず、記憶装置には、レセプト等を用いて、患者識別子および薬剤名を少なくとも含む投薬データを記憶しており、先発薬および該先発薬に同等のジェネリック医薬品を対応させて記憶している。
前記記憶装置に記憶された投薬データ内の薬剤名に応じて、該薬剤名に対応する同等のジェネリック医薬品を検索する。その検索されたジェネリック医薬品を対応する患者識別子とともに記憶装置に記憶する。
【００５０】
患者識別子および薬剤名を少なくとも含む投薬データを入力する。その入力された投薬データ内の患者識別子に応じて、前記記憶装置に記憶された該患者識別子に対応するジェネリック医薬品を検索する。
入力された投薬データ内の薬剤名が検索されたジェネリック医薬品である場合は、ジェネリック医薬品が採用されたことをカウントする。これによって、提示されたジェネリック医薬品が次回の処方の際に採用されたか否かがわかるようになる。
【００５１】
また、別の本発明における医療情報処理プログラムは、コンピュータに、医療情報の処理をさせる。まず、記憶装置には、患者識別子および薬剤名を少なくとも含む投薬データを記憶しており、患者に対して既に提示したジェネリック医薬品を対応する患者識別子とともに記憶している。
前記記憶装置に記憶されている投薬データ内の患者識別子に応じて、前記記憶装置に記憶された該患者識別子に対応するジェネリック医薬品を検索する。
【００５２】
前記患者識別子に対応する前記記憶装置に記憶されている薬剤名が、検索されたジェネリック医薬品である場合は、ジェネリック医薬品が採用されたことをカウントする。
別の発明である医療情報処理システムおよび医療情報処理方法においても、医療情報処理プログラムが行うことと同等のことが行われる。
【発明の効果】
【００５３】
本発明にかかる医療情報処理プログラム、医療情報処理システムおよび医療情報処理方法によれば、既に投薬された薬からジェネリック医薬品およびそのジェネリック医薬品を利用したならば削減できたであろう医療費を計算することができる。これによって、患者は確実に削減することができる医療費を知ることができ、ジェネリック医薬品使用のインセンティブを高めることができる。また、以前に提示したジェネリック医薬品が採用されたか否かを確実にカウントすることができるようになる。
【発明を実施するための最良の形態】
【００５４】
以下、図面に基づき本発明の好適な一実施の形態を説明する。
各図は本発明の一実施の形態を示している。図１は、本発明の一実施の形態である医療情報処理プログラムの概念的なモジュール構成図を示している。図２、図３は、本発明の一実施の形態の主にデータの流れを概略的に示す図である。
【００５５】
なお、モジュールとは、一般的に論理的に分離可能なソフトウェア、ハードウェア等の部品を指す。したがって、本実施の形態におけるモジュールはプログラムにおけるモジュールのことだけでなく、ハードウェア構成におけるモジュールも指し、医療情報処理システムおよび医療情報処理方法においても、医療情報処理プログラムが行うことと同等のことが行われる。
【００５６】
また、モジュールは機能にほぼ一対一に対応しているが、実装においては、１モジュールを１プログラムで構成してもよいし、複数モジュールを１プログラムで構成してもよい。逆に１モジュールを複数プログラムで構成してもよい。また、複数モジュールは１コンピュータによって実行されてもよいし、分散または並列環境におけるコンピュータによって１モジュールが複数コンピュータで実行されてもよい。また、以下、「接続」とは物理的な接続の他、論理的な接続を含む。
ここで、システムとは、複数のコンピュータ、ハードウェア、装置等がネットワーク等で接続されて構成されるほか、１つのコンピュータによって実現される場合も含まれる。
【００５７】
本実施の形態である医療情報処理プログラムは、コンピュータに、医療情報の処理をさせるものであって、図１に示すように、入力モジュール１１０とジェネリック薬検索モジュール１２０と薬価検索モジュール１３０と医療費計算モジュール１４０と患者通知媒体作成モジュール１５０と差額計算モジュール１６０と差額合計モジュール１７０と採用ジェネリック薬検索モジュール１８０とジェネリック薬採用カウンター１９０と診療報酬支払機関通知媒体作成モジュール２００と薬局検索モジュール２１０と投薬データマスター５１０と先発薬同等ジェネリック薬マスター５２０と医薬品薬価マスター５３０と提案ジェネリック薬マスター５４０とジェネリック薬取扱店マスター５５０とを備えている。
【００５８】
なお、医療情報処理プログラムが実行されるコンピュータとは、図４に示すように、一般的なコンピュータであり、パーソナルコンピュータ等がある。プログラムを実行するＣＰＵ３１０と、そのプログラムやデータを記憶するメモリ３２０と、ＨＤＤ等により構成されている補助記憶装置３３０と、キーボード、マウス等のデータを入力する入力装置３４０と、ＣＲＴや液晶ディスプレイ等の出力装置３５０、結果等を紙等に出力するための印刷装置３６０、そして、それらをつないでデータのやりとりをするためのバス３７０により構成されている。
【００５９】
まず、図２に示すように、患者６１０が医療施設６２０において、診察等を受けた場合に、その医療施設が作成したレセプト等が支払基金６３０を通して、診療報酬支払機関６４０に渡される。または、図３に示すように、患者６１０が医療施設６２０において、診察等を受けた場合に、その医療施設６２０が作成した処方箋を受け取る。患者６１０がその処方箋を調剤薬局６６０に持っていき、その処方箋に基づいて調合された薬及びその薬の説明書である調剤内容説明書を受け取る。そして、調剤薬局６６０より患者６１０が調剤内容説明書を受け取った後、本実施の形態におけるサービスを受けたい場合に、その調剤内容説明書を診療報酬支払機関６４０へ送付し（ＦＡＸ、持参することを含む）、サービスを受けることとなる。または、患者６１０が診療報酬支払機関６４０を通さずに、調剤内容説明書をサービス主体へ送付すること（ＦＡＸ、持参することを含む）も可能である。さらに、患者６１０が直接に医療情報処理プログラムを用いて、調剤内容説明書の内容を入力することも可能である。
診療報酬支払機関６４０に処方箋が持ち込まれた場合は、その診療報酬支払機関６４０は、本実施の形態である医療情報処理プログラムを用いて、コンピュータに、医療情報の処理をさせる。
【００６０】
入力モジュール１１０は、図２、図３で示したレセプト等に基づいて、図１に示すように、投薬データマスター５１０に投薬データを入力する。そのレセプト等が電子的データである場合は、通信、記録媒体の読み取り等により、そのまま電子的な入力が行われる。レセプト等が紙の書類である場合は、文字認識（ＯＣＲ）または操作者による入力が行われる。
【００６１】
入力モジュール１１０が入力するデータは、投薬データのリスト１１７に示すような患者識別子である組合員ＩＤ、そして、少なくとも投薬項目として、薬剤名、その量、回数が投薬データマスター５１０に入力される。より詳しくは、図５に示す投薬データマスター内のデータ構造のように、レセプト番号、氏名、組合員ＩＤ、男女区分、生年月日、保険者番号、記号・番号、市町村名、医療機関名、所在地、入力年月日、診療年月日、医療費、そして、投薬項目として、薬が複数種にわたる場合は、薬ごとに、薬剤名、量、回数が繰り返される。
【００６２】
投薬データマスター５１０は、入力された投薬データを記憶するデータベースである。記憶されるデータ構造は、図５に示したとおりである。同じ患者６１０に対して、複数回の診療等が行われると、複数回の入力がある場合があるので、その際であっても、過去のデータに対して上書きすることなく、データは追加して記憶される。
【００６３】
先発薬同等ジェネリック薬マスター５２０は、先発薬および該先発薬に同等のジェネリック医薬品を対応させて記憶するデータベースである。より詳しくは、図６に示す先発薬同等ジェネリック薬マスター内のデータ構造のように、先発薬名とそれに対応する一般名、ジェネリック医薬品、そのジェネリック医薬品を製造している製薬メーカーを記憶している。例えば、先発薬名：メバロチン錠（登録商標第２０４９５５８号）に対して、一般名：プラバスタチンナトリウム製剤、ジェネリック医薬品：プラバチン錠（登録商標第４６０１９３１号）、製薬メーカー：○○製薬である。なお、記憶しているデータには「（登録商標第何号）」の文字は記憶している必要はない。図６についても同様である。図１２についても「（登録商標）」の文字は記載する必要はない。
【００６４】
医薬品薬価マスター５３０は、医薬品および該医薬品の薬価を対応させて記憶するデータベースである。より詳しくは、図７に示す医薬品薬価マスター内のデータ構造のように、医薬品名、その医薬品の薬価、その医薬品を製造している製薬メーカーを対応させて記憶している。
【００６５】
ジェネリック薬検索モジュール１２０は、投薬データマスター５１０で記憶された投薬データ内の薬剤名に応じて、先発薬同等ジェネリック薬マスター５２０を検索する。つまり、投薬データマスター５１０内の薬剤名を、先発薬同等ジェネリック薬マスター５２０から検索し、それに対応する同等のジェネリック医薬品を抽出する。
【００６６】
薬価検索モジュール１３０は、ジェネリック薬検索モジュール１２０により検索されたジェネリック医薬品に応じて、医薬品薬価マスター５３０を検索する。つまり、そのジェネリック医薬品に対応する薬価を医薬品薬価マスター５３０より検索する。
【００６７】
医療費計算モジュール１４０は、薬価検索モジュール１３０により検索された薬価を用いて、投薬データマスター５１０で記憶されている組合員ＩＤ毎にジェネリック医薬品を用いた場合の医療費を計算する。その際に、出力されるものは、ジェネリック薬該当データのリスト１５１に示すような組合員ＩＤ、少なくとも投薬項目として、薬剤名、薬価、その量、回数、同等ジェネリック薬名、その薬価、投薬された薬と同等ジェネリック医薬品との薬価の差額、そして、投薬項目として、薬が複数種にわたる場合は、薬ごとに、薬剤名、量、回数が繰り返される。
【００６８】
患者通知媒体作成モジュール１５０は、医療費計算モジュール１４０により計算された医療費等を組合員ＩＤで表される患者６１０に対して通知できるように通知媒体を作成する。通知媒体に記載される項目としては、ジェネリック薬該当データのリスト１５１に示されるものから構成される。ここで、通知媒体とは、電子メールのテキストデータ、会員制のシステムにＷＥＢからログインしてもらい、そこに表示できるようなデータ、または患者６１０に郵送できるように印刷装置３６０を用いて紙文書を印刷すること等が含まれる。作成された通知媒体は、患者６１０に送付される場合（図２参照）と、診療報酬支払機関６４０にいったん送付された後に患者６１０に送付される場合（図３参照）がある。
【００６９】
提案ジェネリック薬マスター５４０は、ジェネリック薬検索モジュール１２０により検索されたジェネリック医薬品を対応する組合員ＩＤとともに記憶するデータベースである。より詳しくは、図８に示す提示ジェネリック薬マスター内のデータ構造のように、組合員ＩＤ、その組合員ＩＤに対応した薬剤名、提示したジェネリック医薬品、提示日を対応させて記憶している。
【００７０】
採用ジェネリック薬検索モジュール１８０は、入力モジュール１１０により入力された投薬データ内の組合員ＩＤに応じて、または、投薬データマスター５１０により記憶されている投薬データ内の組合員ＩＤに応じて、提案ジェネリック薬マスター５４０により記憶されている組合員ＩＤに対応するジェネリック医薬品を検索する。つまり、本プログラムによって提示されたジェネリック医薬品が、次回の投薬の際に実際に採用されたか否かをこの検索によって知ることができる。
【００７１】
ジェネリック薬採用カウンター１９０は、入力モジュール１１０により入力された投薬データ内の薬剤名が採用ジェネリック薬検索モジュール１８０により検索されたジェネリック医薬品である場合は、ジェネリック医薬品が採用されたことになるので、この回数をカウントする。このカウントは一定期間毎におこなわれ、その期間にどれだけジェネリック医薬品が採用されたかを計数している。
【００７２】
差額計算モジュール１６０は、入力モジュール１１０により入力された医療費と投薬データマスター５１０によって記憶された従来の医療費との差額を計算する。つまり、ジェネリック医薬品を用いたことにより医療費がどれだけ抑制されたかがわかるようになる。
【００７３】
差額合計モジュール１７０は、差額計算モジュール１６０により計算された差額を、一定期間毎に積算する。つまり、差額計算モジュール１６０を一定期間毎におこない、その期間にジェネリック医薬品が採用されたことによりどれだけ医療費が削減できたかを積算している。さらに、差額合計モジュール１７０は、積算された一定期間毎の差額合計に応じて、ジェネリック医薬品が採用されたことによる成功報酬額を計算することができる。
【００７４】
診療報酬支払機関通知媒体作成モジュール２００は、ジェネリック薬採用カウンター１９０によりカウントされた数、差額合計モジュール１７０により積算された差額合計、または差額合計モジュール１７０により計算された成功報酬額を、診療報酬支払機関６４０に対して通知できるように通知媒体を作成する。この通知媒体とは、電子メールのテキストデータ、会員制のシステムにＷＥＢからログインしてもらい、そこに表示できるようなデータ、または患者６１０に郵送できるように印刷装置３６０を用いて紙文書を印刷すること等が含まれる。
【００７５】
ジェネリック薬取扱店マスター５５０は、ジェネリック医薬品および該ジェネリック医薬品を取り扱っている薬局名を対応させて記憶するデータベースである。より詳しくは、図９に示すジェネリック薬取扱店マスター内のデータ構造のように、ジェネリック医薬品、そのジェネリック医薬品を取り扱っている取扱い薬局、その薬局の所在地を対応させて記憶している。
【００７６】
薬局検索モジュール２１０は、ジェネリック薬検索モジュール１２０により検索されたジェネリック医薬品に応じて、ジェネリック薬取扱店マスター５５０で記憶されたジェネリック医薬品に対応する薬局を検索する。つまり、提示するジェネリック医薬品を取り扱っている薬局を検索する。また、入力モジュール１１０により入力された市町村名または医療機関に応じて、ジェネリック薬取扱店マスター５５０により記憶された住所を検索することにより組合員ＩＤで示される患者６１０または医療施設６２０の近辺の薬局を検索する。
【００７７】
患者６１０は、図２に示すように、患者通知媒体作成モジュール１５０により作成された通知媒体を受け取り、次回の医療施設６２０による診察等の際に、その通知媒体を医師に提示し、該当するジェネリック医薬品を処方してもらうよう働きかける。または、患者６１０は、図３に示すように、患者通知媒体作成モジュール１５０により作成された通知媒体を診療報酬支払機関６４０を介して、または直接に受け取り、次回の薬を処方してもらう際に、調剤薬局６６０に対して、その通知媒体を提示し、該当するジェネリック医薬品を処方してもらうよう働きかける。
【００７８】
診療報酬支払機関６４０は、診療報酬支払機関通知媒体作成モジュール２００によって作成された通知媒体を受け取ることによって、ジェネリック医薬品がどれだけ採用されたか、それによる医療費の削減額はどれだけか、そして、本プログラムを採用することによって支払わなければならない成功報酬額を知ることができる。
【００７９】
図２、図３の同等品選択カウンター２２０は、ジェネリック薬採用カウンター１９０とほぼ同等の機能を有しており、ジェネリック医薬品が採用された回数をジェネリック製薬メーカー毎にカウントする。そして、そのカウント数をそれぞれのジェネリック製薬メーカー（ジェネリック製薬メーカーＡ６５０Ａ、ジェネリック製薬メーカーＢ６５０Ｂ）に通知する。その際に、ジェネリック製薬メーカーに対しても成功報酬を通知するようにしてもよい。
【００８０】
次に作用・働き（動作）を説明する。
先発薬同等ジェネリック薬マスター５２０、医薬品薬価マスター５３０、ジェネリック薬取扱店マスター５５０は、予め作成されている。これらは、ジェネリック製薬メーカー等からデータを得て、作成することができる。それらのデータ構造は、それぞれ図６、図７、図９に示すようなデータ構造になっている。
【００８１】
図１０を用いて、レセプト等を入力してからジェネリック医薬品を提示する医療情報処理（１）プログラムの働きについて説明する。
ステップＳ１１０では、入力モジュール１１０が、患者６１０のレセプト等を入力し、投薬データマスター５１０に投薬データ等を入力する。
【００８２】
ステップＳ１２０では、入力された薬剤名に対応するジェネリック医薬品はあるかを判断する。具体的には、ジェネリック薬検索モジュール１２０が投薬データマスター５１０を検索し、患者６１０一人一人ごとの投薬された薬剤名を抽出し、その薬剤名をもとにして先発薬同等ジェネリック薬マスター５２０に対応するジェネリック医薬品があるかどうかを検索する。対応するジェネリック医薬品がなければ（Ｎであれば）、ステップＳ１７０に進み、投薬データマスター５１０内の全ての対象となっている患者６１０のデータを処理し終えたか否かを判断する。対応するジェネリック医薬品があれば（Ｙであれば）、次のステップＳ１３０に進む。
【００８３】
ステップＳ１３０では、提示するジェネリック医薬品を記憶する。具体的には、ジェネリック薬検索モジュール１２０がステップＳ１２０で検索したジェネリック医薬品を図８で示すように、対象としている組合員ＩＤと今回処方された薬剤名と対応するジェネリック医薬品と通知媒体を患者６１０に提示する日とを対応させて記憶させる。これによって、次回の際、提示したジェネリック医薬品が採用されたか否かを判別することができる。
【００８４】
ステップＳ１４０では、ジェネリック医薬品を用いた場合の医療費を計算する。具体的には、薬価検索モジュール１３０が、ステップＳ１２０で検索されたジェネリック医薬品名で医薬品薬価マスター５３０を検索する。医薬品薬価マスター５３０内には、医薬品名に対応してその薬価が記憶されているので、そのジェネリック医薬品の単価を取り出すことができる。そして、処方されている量によって、ジェネリック医薬品における対応量もわかるので、医療費計算モジュール１４０はジェネリック医薬品を用いた場合の医療費を計算することができる。
【００８５】
ステップＳ１５０では、ジェネリック医薬品の取扱薬局を検索する。具体的には、薬局検索モジュール２１０が処理を行う。ジェネリック薬検索モジュール１２０により検索されたジェネリック医薬品に応じて、ジェネリック薬取扱店マスター５５０で記憶されたジェネリック医薬品に対応する薬局を検索する。つまり、提示するジェネリック医薬品を取り扱っている薬局を検索する。また、入力モジュール１１０により入力された市町村名または医療機関に応じて、ジェネリック薬取扱店マスター５５０により記憶された住所を検索することにより近辺の薬局を検索する。
【００８６】
ステップＳ１６０では、患者に通知する通知媒体の生成を行う。具体的には、患者通知媒体作成モジュール１５０がステップＳ１４０で計算した医療費等を用いて作成する。その通知媒体は、図１２に示すようなものである。ここでは紙の書類による通知媒体の例を示す。投薬データマスター５１０に記憶されている、氏名、診療年月日、処方された薬剤名（図では処方箋）、それに対応する一般名、そして提案ジェネリック薬マスター５４０に対応して記憶されているジェネリック医薬品、そのメーカー、ステップＳ１４０で計算された試算医療費（削減額）が印字される。さらに、ジェネリック医薬品を取り扱っている薬局を印刷することもできる。そして、患者６１０の近辺にある薬局のみを印刷することもできる。
そして、ステップＳ１７０では、処理すべき患者６１０全員分が終了したか否かを判断する。終了していない場合は、ステップＳ１１０へ戻る。終了している場合は、医療情報処理（１）プログラムを終了する。
【００８７】
次に、図１１を用いて、レセプト等を入力してから前回に提示したジェネリック医薬品が用いられたか否かを確認する医療情報処理（２）プログラムの働きについて説明する。この処理は、図１０の医療情報処理（１）プログラムの処理が少なくとも１回終了した後に行われる。したがって、提案ジェネリック薬マスター５４０には、患者６１０に対して既に提示したジェネリック医薬品が対応する組合員ＩＤとともに記憶されている。
ステップＳ２１０では、図１０の入力モジュール１１０と同様に、入力モジュール１１０が、患者６１０のレセプト等を入力し、投薬データマスター５１０に投薬データ等を入力する。
【００８８】
ステップＳ２２０では、採用ジェネリック薬検索モジュール１８０が、ステップＳ２１０で入力された投薬データ内の組合員ＩＤに応じて、提案ジェネリック薬マスター５４０に記憶された組合員ＩＤに対応する過去に提示したジェネリック医薬品を検索する。その検索されたジェネリック医薬品が、ステップＳ２１０で入力された投薬データ内の薬剤名でない場合（つまり、ジェネリック医薬品が採用されなかった場合）は、ステップＳ２５０に進み、投薬データマスター５１０内の全ての対象となっている患者６１０のデータを処理し終えたか否かを判断する。ジェネリック医薬品であれば（Ｙであれば）、次のステップＳ２３０に進む。
【００８９】
ステップＳ２３０では、ジェネリック薬採用カウンター１９０がジェネリック医薬品が採用されたことをカウントする。また、差額計算モジュール１６０により、ジェネリック医薬品を用いたことにより抑制された医療費の額が計算され、さらに差額合計モジュール１７０により、一定期間毎に差額を積算し、成功報酬額を計算する。
【００９０】
ステップＳ２４０では、診療報酬支払機関通知媒体作成モジュール２００がジェネリック薬採用カウンター１９０によりカウントされた数、差額合計モジュール１７０により積算された差額合計、または差額合計モジュール１７０により計算された成功報酬額を、診療報酬支払機関６４０に対して通知できるように通知媒体を作成する。また、同等品選択カウンター２２０によりジェネリック医薬品メーカー毎に成功報酬額等が計算されたものをもとにして通知媒体を作成することもできる。
ステップＳ２５０では、処理すべき患者６１０全員分が終了したか否かを判断する。終了していない場合は、ステップＳ２１０へ戻る。終了している場合は、医療情報処理（２）プログラムを終了する。
【００９１】
医療情報処理の流れを図１０、図１１を用いて説明したが、これを一緒に処理を行ってもよい。その場合、ステップＳ１１０（ステップＳ２１０）の後に、ステップＳ２２０、ステップＳ２３０、ステップＳ２４０の処理を行い、その後にステップＳ１２０、ステップＳ１３０、ステップＳ１４０、ステップＳ１５０、ステップＳ１６０、ステップＳ１７０の処理を行うようにしてもよい。
【００９２】
また、図１１では、入力モジュール１１０により入力されたデータを用いたが、全てのレセプト等のデータを先発薬同等ジェネリック薬マスター５２０に入力し終えた後に、先発薬同等ジェネリック薬マスター５２０から該当データを読み出すようにしてもよい。
【００９３】
また、提案ジェネリック薬マスター５４０を用いて、以前提示したジェネリック医薬品であるか否かを検索しているが、ジェネリック薬検索モジュール１２０が投薬データマスター５１０と先発薬同等ジェネリック薬マスター５２０を用いて提案ジェネリック薬マスター５４０と同等のデータをその都度生成するようにしてもよい。
【００９４】
また、先発薬同等ジェネリック薬マスター５２０にさらにジェネリック医薬品の使用上の注意と副作用の注意を記憶させておき、医薬品薬価マスター５３０、ジェネリック薬取扱店マスター５５０を用いて、ジェネリック薬検索モジュール１２０、薬価検索モジュール１３０、医療費計算モジュール１４０、薬局検索モジュール２１０を動作させることによって、図１３に示すように、インターネット等を用いてＷＥＢ上に、医療施設６２０、調剤薬局６６０からもらった処方箋の薬に対して、下記項目を表示することができるようになる。
１．ジェネリック医薬品が存在するか
２．存在する場合  先発薬との価格差はいくらか
３．どこの調剤薬局で入手できるか
４．使用上の注意
５．副作用の注意
【００９５】
また、本実施の形態では、本プログラムは診療報酬支払機関６４０によって、動作させられるが、図１４に示すように、本プログラムを診療報酬支払機関６４０の依頼によって他の運営母体６７０によって管理させ、ジェネリック製薬メーカー６５０と調剤薬局６６０と共同して本プログラムを運営管理することも可能である。
【００９６】
本実施の形態である医療情報処理プログラム、医療情報処理システムおよび医療情報処理方法は、既に診療を受けた際に発行される処方箋等を用いているので、医療費を抑制することに対して最もインセンティブがある診療報酬支払機関６４０、患者６１０に対して、ジェネリック医薬品の情報およびその医薬品を採用した場合の医療費を知ることができるようになる。
【００９７】
また、システムが提案したジェネリック医薬品を使用した場合、そのシステムによって、どれだけ効果が挙がったか（医療費を抑制できたか）の実績を測ることができるようになる。
また、単にジェネリック医薬品を提示するだけではなく、そのジェネリック医薬品を取り扱っている薬局、さらには近くにあるその薬局を提示することができるので、ジェネリック医薬品に変更するという障壁を低くすることができる。
【００９８】
また、医療費の一部が、診療報酬支払機関６４０を通して支払基金６３０から給付されるが、それは一定期間毎に行われており、その一定期間と同一期間で、ジェネリック医薬品が使用されたことにより、どれだけ効果が挙がったか（医療費を抑制できたか）の実績を測ることができるようになった。
【００９９】
また、本実施の形態では、ジェネリック医薬品が先発薬よりも安価であることを前提としたものであるが、先発薬メーカーの企業努力等により先発薬も安価になる可能性もある。その場合は、先発薬同等ジェネリック薬マスター５２０内のデータ構造を図６のものから、先発薬の欄を２つの医薬品を比べた場合に高価な医薬品とし、ジェネリック医薬品の欄をその高価な医薬品よりも安価な医薬品とすることによって、本実施例と同様に対応できる。その場合、薬品メーカー等から薬品情報を入手し、先発薬同等ジェネリック薬マスター５２０を生成する際に、先発薬とそれに対応するジェネリック薬を単に記憶するのではなく、薬価に応じてデータを生成する必要がある。
また、同様に、ジェネリック薬取扱店マスター５５０内のデータ構造も図９のものから、ジェネリック医薬品の欄を医薬品（先発薬、ジェネリック医薬品の両方を含む）とすることによって、安価な医薬品を取り扱っている薬局やその所在地を患者６１０に提示できるようになる。
【０１００】
また、提示する医薬品の価格がそれまで使用していた医薬品と同額の場合がある。この場合は、ジェネリック薬採用カウンター１９０によるカウントをしないようにすることもできる。しかし、その場合であっても、同等品選択カウンター２２０によるカウントは行うようにする。これによって、製薬メーカーに対して成功報酬を通知することができるようなる。
【０１０１】
なお、説明したプログラムについては、記録媒体に格納することも可能であり、その場合は、以下の発明としても把握することができる。
コンピュータに、医療情報の処理をさせる医療情報処理プログラムを記録したコンピュータ読み取り可能な記録媒体であって、
前記コンピュータに、
患者識別子および薬剤名を少なくとも含む投薬データを入力する投薬データ入力機能と、
前記投薬データ入力機能により入力された投薬データを記憶する投薬データ記憶機能と、
先発薬および該先発薬に同等のジェネリック医薬品を対応させて記憶する先発薬同等ジェネリック薬記憶機能と、
医薬品および該医薬品の薬価を対応させて記憶する医薬品薬価記憶機能と、
前記投薬データ記憶機能で記憶された投薬データ内の薬剤名に応じて、前記先発薬同等ジェネリック薬記憶機能で記憶された該薬剤名に対応する同等のジェネリック医薬品を検索するジェネリック薬検索機能と、
前記ジェネリック薬検索機能により検索されたジェネリック医薬品に応じて、前記医薬品薬価記憶機能で記憶された該ジェネリック医薬品に対応する薬価を検索する薬価検索機能と、
前記薬価検索機能により検索された薬価を用いて、前記投薬データ記憶機能で記憶された患者識別子毎にジェネリック医薬品を用いた場合の医療費を計算する医療費計算機能
を実現することを特徴とする医療情報処理プログラムを記録したコンピュータ読み取り可能な記録媒体。
【０１０２】
コンピュータに、医療情報の処理をさせる医療情報処理プログラムを記録したコンピュータ読み取り可能な記録媒体であって、
前記コンピュータに、
患者識別子および薬剤名を少なくとも含む投薬データを記憶する投薬データ記憶機能と、
先発薬および該先発薬に同等のジェネリック医薬品を対応させて記憶する先発薬同等ジェネリック薬記憶機能と、
前記投薬データ記憶機能で記憶された投薬データ内の薬剤名に応じて、前記先発薬同等ジェネリック薬記憶機能で記憶された該薬剤名に対応する同等のジェネリック医薬品を検索するジェネリック薬検索機能と、
前記ジェネリック薬検索機能により検索されたジェネリック医薬品を対応する患者識別子とともに記憶する提示ジェネリック薬記憶機能と、
患者識別子および薬剤名を少なくとも含む投薬データを入力する投薬データ入力機能と、
前記投薬データ入力機能により入力された投薬データ内の患者識別子に応じて、前記提示ジェネリック薬記憶機能により記憶された該患者識別子に対応するジェネリック医薬品を検索する採用ジェネリック薬検索機能と、
前記投薬データ入力機能により入力された投薬データ内の薬剤名が前記採用ジェネリック薬検索機能により検索されたジェネリック医薬品である場合は、ジェネリック医薬品が採用されたことをカウントするカウント機能
を実現することを特徴とする医療情報処理プログラムを記録したコンピュータ読み取り可能な記録媒体。
【０１０３】
コンピュータに、医療情報の処理をさせる医療情報処理プログラムを記録したコンピュータ読み取り可能な記録媒体であって、
前記コンピュータに、
患者識別子および薬剤名を少なくとも含む投薬データを記憶する投薬データ記憶機能と、
患者に対して既に提示したジェネリック医薬品を対応する患者識別子とともに記憶する提示ジェネリック薬記憶機能と、
前記投薬データ記憶機能により記憶されている投薬データ内の患者識別子に応じて、前記提示ジェネリック薬記憶機能により記憶された該患者識別子に対応するジェネリック医薬品を検索する採用ジェネリック薬検索機能と、
前記患者識別子に対応する前記投薬データ記憶機能により記憶されている薬剤名が、前記採用ジェネリック薬検索機能により検索されたジェネリック医薬品である場合は、ジェネリック医薬品が採用されたことをカウントするカウント機能
を実現することを特徴とする医療情報処理プログラムを記録したコンピュータ読み取り可能な記録媒体。
【０１０４】
コンピュータに、医療情報の処理をさせる医療情報処理プログラムを記録したコンピュータ読み取り可能な記録媒体であって、
前記コンピュータに、
患者識別子および薬剤名を少なくとも含む投薬データを入力する投薬データ入力機能と、
前記投薬データ入力機能により入力された投薬データを記憶する投薬データ記憶機能と、
第１の医薬品および該第１の医薬品に同等の医薬品である第２の医薬品を対応させて記憶する同等医薬品記憶機能と、
医薬品および該医薬品の薬価を対応させて記憶する医薬品薬価記憶機能と、
前記投薬データ記憶機能で記憶された投薬データ内の薬剤名に応じて、前記同等医薬品記憶機能で記憶された該薬剤名に対応する同等の第２の医薬品を検索する医薬品検索機能と、
前記医薬品検索機能により検索された第２の医薬品に応じて、前記医薬品薬価記憶機能で記憶された該第２の医薬品に対応する薬価を検索する薬価検索機能と、
前記薬価検索機能により検索された薬価を用いて、前記投薬データ記憶機能で記憶された患者識別子毎に第２の医薬品を用いた場合の医療費を計算する医療費計算機能
を実現することを特徴とする医療情報処理プログラムを記録したコンピュータ読み取り可能な記録媒体。
【０１０５】
コンピュータに、医療情報の処理をさせる医療情報処理プログラムを記録したコンピュータ読み取り可能な記録媒体であって、
前記コンピュータに、
患者識別子および薬剤名を少なくとも含む投薬データを記憶する投薬データ記憶機能と、
第１の医薬品および該第１の医薬品に同等の医薬品である第２の医薬品を対応させて記憶する同等医薬品記憶機能と、
前記投薬データ記憶機能で記憶された投薬データ内の薬剤名に応じて、前記同等医薬品記憶機能で記憶された該薬剤名に対応する同等の第２の医薬品を検索する医薬品検索機能と、
前記医薬品検索機能により検索された第２の医薬品を対応する患者識別子とともに記憶する提示薬記憶機能と、
患者識別子および薬剤名を少なくとも含む投薬データを入力する投薬データ入力機能と、
前記投薬データ入力機能により入力された投薬データ内の患者識別子に応じて、前記提示薬記憶機能により記憶された該患者識別子に対応する医薬品を検索する採用薬検索機能と、
前記投薬データ入力機能により入力された投薬データ内の薬剤名が前記採用薬検索機能により検索された医薬品である場合は、第２の医薬品が採用されたことをカウントするカウント機能
を実現することを特徴とする医療情報処理プログラムを記録したコンピュータ読み取り可能な記録媒体。
【０１０６】
コンピュータに、医療情報の処理をさせる医療情報処理プログラムを記録したコンピュータ読み取り可能な記録媒体であって、
前記コンピュータに、
患者識別子および薬剤名を少なくとも含む投薬データを記憶する投薬データ記憶機能と、
患者に対して既に提示した医薬品を対応する患者識別子とともに記憶する提示薬記憶機能と、
前記投薬データ記憶機能により記憶されている投薬データ内の患者識別子に応じて、前記提示薬記憶機能により記憶された該患者識別子に対応する医薬品を検索する採用薬検索機能と、
前記患者識別子に対応する前記投薬データ記憶機能により記憶されている薬剤名が、前記採用薬検索機能により検索された医薬品である場合は、該医薬品が採用されたことをカウントするカウント機能
を実現することを特徴とする医療情報処理プログラムを記録したコンピュータ読み取り可能な記録媒体。
【０１０７】
なお、「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等が含まれる。
そして、上記のプログラムまたはその一部は、上記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにはこれらの組合せ等の伝送媒体を用いて伝送することが可能であり、また、搬送波に載せて搬送することも可能である。
さらに、上記のプログラムは、他のプログラムの一部分であってもよく、あるいは別個のプログラムと共に記録媒体に記録されていてもよい。
【図面の簡単な説明】
【０１０８】
【図１】本発明の一実施の形態に係る概念的なモジュール構成図である。
【図２】本発明の一実施の形態に係る主にデータの流れを示す図である。
【図３】本発明の一実施の形態に係る主にデータの流れを示す図である。
【図４】本発明の一実施の形態である医療情報処理プログラムが実行されるコンピュータを示す図である。
【図５】投薬データマスター内のデータ構造である。
【図６】先発薬同等ジェネリック薬マスター内のデータ構造である。
【図７】医薬品薬価マスター内のデータ構造である。
【図８】提示ジェネリック薬マスター内のデータ構造である。
【図９】ジェネリック薬取扱店マスター内のデータ構造である。
【図１０】本発明の一実施の形態に係るフローチャートである。
【図１１】本発明の一実施の形態に係るフローチャートである。
【図１２】通知媒体の一例を示す図である。
【図１３】インターネット上で本実施の形態を構築した際のホームページの概念図である。
【図１４】本発明の実施の形態を運用するにあたっての組織間の関係を示す図である。
【符号の説明】
【０１０９】
１１０…入力モジュール
１１７…投薬データのリスト
１２０…ジェネリック薬検索モジュール
１３０…薬価検索モジュール
１４０…医療費計算モジュール
１５０…患者通知媒体作成モジュール
１５１…ジェネリック薬該当データのリスト
１６０…差額計算モジュール
１７０…差額合計モジュール
１８０…採用ジェネリック薬検索モジュール
１９０…ジェネリック薬採用カウンター
２００…診療報酬支払機関通知媒体作成モジュール
２１０…薬局検索モジュール
２２０…同等品選択カウンター
３１０…ＣＰＵ
３２０…メモリ
３３０…補助記憶装置
３４０…入力装置
３５０…出力装置
３６０…印刷装置
３７０…バス
５１０…投薬データマスター
５２０…先発薬同等ジェネリック薬マスター
５３０…医薬品薬価マスター
５４０…提案ジェネリック薬マスター
５５０…ジェネリック薬取扱店マスター
６１０…患者
６２０…医療施設
６３０…支払基金
６４０…診療報酬支払機関
６５０…ジェネリック製薬メーカー
６５０Ａ…ジェネリック製薬メーカーＡ
６５０Ｂ…ジェネリック製薬メーカーＢ
６６０…調剤薬局
６７０…運営母体
【図１】
2007018292.tif 000003
【図２】
2007018292.tif 000004
【図３】
2007018292.tif 000005
【図４】
2007018292.tif 000006
【図５】
2007018292.tif 000007
【図６】
2007018292.tif 000008
【図７】
2007018292.tif 000009
【図８】
2007018292.tif 000010
【図９】
2007018292.tif 000011
【図１０】
2007018292.tif 000012
【図１１】
2007018292.tif 000013
【図１２】
2007018292.tif 000014
【図１３】
2007018292.tif 000015
【図１４】
2007018292.tif 000016